(57)【要約】【課題】尿がショーツ本体にまで染み出さない、穿き心地のよい失禁用ショーツを提供することである。【解決手段】前身頃、クロッチ部、後身頃より形成されるショーツ本体と、前記クロッチ部の内面に縫い付けられる吸水パッド１１からなる失禁用ショーツにおいて、前記吸水パッドの前端縁および後端縁に防水帯１１ｄを設けたのである。【選択図】図２
0003107255.tif 000002
【実用新案登録請求の範囲】
【請求項１】
前身頃、クロッチ部、後身頃により形成されるショーツ本体と、前記クロッチ部の内面に縫い付けられる吸水パッドとからなる失禁用ショーツにおいて、前記吸水パッドの前端縁および後端縁に防水帯を設けたことを特徴とする失禁用ショーツ。
【請求項２】
前記吸水パッドは、表面の透水布と、裏面の防水布と、これらに挟まれた吸水シートと、両端縁に設けられた防水帯とからなる請求項１に記載の失禁用ショーツ。
【請求項３】
前記吸水パッドを、防水帯の外縁に沿って撥水性の糸により、ショーツ本体に縫い付けた請求項1または２に記載の失禁用ショーツ。
【考案の詳細な説明】
【技術分野】
【０００１】
この考案は、失禁用ショーツに関する。
【背景技術】
【０００２】
高齢化社会の進展とともに、失禁用ショーツの需要は増加の一途をたどっている。そこで、着用する者にとって快適な失禁用ショーツを提供する要請が高まっている。
【０００３】
図４に示すように、一般的に失禁用ショーツ４０は、前身頃４１、クロッチ部４２、後身頃４３より形成されるショーツ本体の股間部内面に、吸水パッド４４を縫い付けて形成される。
【０００４】
従来の失禁用ショーツの場合、吸水パッド４４は、図５に示すように、裏面となる防水布４４ｂと、表面となる透水布４４ａとで不織布などからなる吸水シート４４ｃを挟み込み、周縁を縫い付けて形成されている。ここで、吸水パッド４４の裏面を防水布４４ｂとしたのは、ショーツ本体のクロッチ部４２に尿が染み出るのを防止するためである。
【０００５】
しかし、クロッチ部４２への尿の染み出しは防止できても、吸水パッド４４の透水布４４ａおよび吸水シート４４ｃはクロッチ部４２の両端にまで達しているため、透水布４４ａおよび吸水シート４４ｃに浸み込んだ尿が、毛細管現象により、クロッチ部４２の両端縁から前身頃４１や後身頃４３にまで染み出してしまう問題があった。このような状態は、ショーツを着用する者に非常な不快感を与える。
【考案の開示】
【考案が解決しようとする課題】
【０００６】
そこでこの考案の解決すべき課題は、尿がショーツ本体にまで染み出さない、穿き心地のよい失禁用ショーツを提供することである。
【課題を解決するための手段】
【０００７】
このような課題を解決するため、この考案は、前身頃、クロッチ部、後身頃より形成されるショーツ本体と、前記クロッチ部の内面に縫い付けられる吸水パッドからなる失禁用ショーツにおいて、前記防水パッドの前端縁および後端縁に防水帯を設ける構成を採用した。
【０００８】
また前記吸水パッドは、表面の透水布と、裏面の防水布と、これらに挟まれた吸水シートと、両端縁に設けられた防水帯とからなるのが好ましい。
【０００９】
また吸水パッドを、防水帯の外縁に沿って撥水性の糸により、ショーツ本体に縫い付けるのが好ましい。
【考案の効果】
【００１０】
吸水パッドの前端縁および後端縁に防水帯を設けたことにより、吸水シート等に浸み込んだ尿は、防水帯にブロックされ前身頃や後身頃にまで染み出すことはないため、失禁用ショーツの穿き心地を快適なものとすることができる。
【００１１】
吸水パッドを、表面の透水布と、裏面の防水布と、これらに挟まれた吸水シートと、両端縁に設けられた防水帯とから形成することにより、簡易な構成で尿の染み出しを防止することができる。
【００１２】
また吸水パッドを、撥水性の糸により、防水帯の外縁に沿ってショーツ本体に縫い付けることで、縫合部分から尿が染み出すことがなくなり、染み出しの防止を一層確実なものとすることができる。
【考案を実施するための最良の形態】
【００１３】
以下、図面を参照しつつ実施形態について説明する。図１はこの考案の失禁用ショーツ１０のクロッチ部２０の平面図を、図２は失禁用ショーツ１０の吸水パッド１１の拡大平面図を、図３は吸水パッド１１の縦断面図を示す。
【００１４】
図１に示すように、この考案の失禁用ショーツ１０は、前身頃２１と後身頃２２およびクロッチ部２０からなるショーツ本体のクロッチ部２０に、吸水パッド１１を縫いつけて形成されている。吸水パッド１１は、尿が前身頃２１や後身頃２２に染み出すのを防ぐため、撥水性の糸１２により、後述する防水帯１１ｄの外縁に沿って縫合される。撥水性の糸１２は、ポリエステルの合成繊維糸に撥水加工を施すなどして形成される。
【００１５】
なお、吸水パッド１１は、防水帯１１ｄの外縁を除きショーツ本体に縫合されていないため、中央近辺がクロッチ部２０から浮き上がるようになっている。これは、吸水パッド１１とショーツ本体との接触部を少なくして、尿がショーツ本体に染み出るのを防止するためである。
【００１６】
吸水パッド１１は、図３に示すように両端縁を除いて、透水布１１ａと、不織布などからなる吸水シート１１ｂと、防水布１１ｃとからなる３層構造であり、透水布１１ａと吸水シート１１ｂに吸収された尿が、防水布１１ｃにより、クロッチ部２０にまで染み出さないようになっている。
【００１７】
ここで透水布１１ａは、着用感を良くするため、起毛ポリエステルなど肌触りのよい素材により形成するのが好ましい。また吸水シート１１ｂは、尿をすばやく吸収するために、レーヨンなど吸湿性の高い素材により形成するのが好ましい。また防水布１１ｃは、染み出しを確実に防止するため、防水ポリウレタンなど防水性の高い素材により形成するのが好ましい。
【００１８】
また、吸水パッド１１の両端縁部には、図２と図３に示すように、防水布などからなる防水帯１１ｄが設けられている。ここで水分がブロックされるため、透水布１１ａと吸水シート１１ｂに吸収された尿が両端縁を伝い、前身頃２１や後身頃２２にまで染み出すのを防ぐことができる。
【００１９】
吸水パッド１１は、図２と図３に示すように、その周縁が防水テープ１１ｅにより縁取りされ、撥水性の糸１１ｆで縫いつけられ形成されている。これにより、吸水パッド１１の両側縁などから尿が染み出るのを防止することができる。
【００２０】
なおショーツ本体は、着用感を良くするため、綿などの肌触りのよい素材により形成されることが好ましい。
【図面の簡単な説明】
【００２１】
【図１】失禁用ショーツのクロッチ部の平面図
【図２】吸水パッドの拡大平面図
【図３】吸水パッドの縦断面図
【図４】失禁用ショーツの斜視図
【図５】従来の吸水シートの縦断面図
【符号の説明】
【００２２】
１０  失禁用ショーツ
１１  吸水パッド
１１ａ  透水布
１１ｂ  吸水シート
１１ｃ  防水布
１１ｄ  防水帯
１１ｅ  防水テープ
１１ｆ  撥水性糸
１２  撥水性糸
２０  クロッチ部
２１  前身頃
２２  後身頃
４０  失禁用ショーツ
４１  前身頃
４２  クロッチ部
４３  後身頃
４４  吸水パッド
４４ａ  透水布
４４ｂ  防水布
４４ｃ  吸水シート
【図１】
0003107255.tif 000003
【図２】
0003107255.tif 000004
【図３】
0003107255.tif 000005
【図４】
0003107255.tif 000006
【図５】
0003107255.tif 000007